(57)【要約】      （修正有）【課題】ポジ型液晶を用いライン反転駆動を行うＩＰＳ方式の液晶表示装置において、表示品質の向上を図る。【解決手段】対向電極は１表示ライン毎に分割されており、一の表示ラインの前記対向電極と隣接する表示ラインの前記対向電極との間の間隙は、局所的に屈曲しながら全体として前記表示ラインの方向に延在し、前記間隙は、映像線の延在方向に沿って延在する第１の部分と、前記第１の部分から映像線と交差する方向に沿って延在する第２の部分とを有し、前記液晶層の初期配向軸は、前記映像線に対して時計回りで＋５°〜＋２０°、または、−５°〜−２０°の範囲内の方向であり、前記液晶層の前記初期配向軸から前記間隙の前記第２の部分まで時計回りに測った角度をθ１とするとき、８８°≦θ１≦９２°を満足し、前記映像線は、遮光性の材料で形成されており、前記間隙の前記第１の部分は、前記映像線と平面的に重なっている。【選択図】図３
2009169353.tif 000002
【特許請求の範囲】
【請求項１】
第１の基板と、第２の基板と、前記第１の基板と前記第２の基板との間に挟持された液晶層とを有する液晶表示パネルを備え、
前記液晶表示パネルは、複数のサブピクセルを有し、
前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、
前記対向電極と前記画素電極との間の電位差によって電界を発生させて前記液晶層の液晶を駆動する液晶表示装置であって、
前記第１の基板は、前記各サブピクセルに映像信号を入力する複数の映像線を有し、
前記液晶層は、ポジ型液晶であり、
前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、
前記間隙は、前記映像線の延在方向に沿って延在する第１の部分と、前記第１の部分から前記映像線と交差する方向に沿って延在する第２の部分とを有し、
前記液晶層の初期配向軸は、前記映像線に対して時計回りで＋５°〜＋２０°、または、−５°〜−２０°の範囲内の方向であり、
前記液晶層の前記初期配向軸から前記間隙の前記第２の部分まで時計回りに測った角度をθ１とするとき、８８°≦θ１≦９２°を満足し、
前記映像線は、遮光性の材料で形成されており、
前記間隙の前記第１の部分は、前記映像線と平面的に重なっていることを特徴とする液晶表示装置。
【請求項２】
前記画素電極は、前記第１の基板側において前記対向電極よりも上層に形成されていることを特徴とする請求項１に記載の液晶表示装置。
【請求項３】
前記対向電極は、前記第１の基板側において前記画素電極よりも上層に形成されていることを特徴とする請求項１に記載の液晶表示装置。
【請求項４】
第１の基板と、第２の基板と、前記第１の基板と前記第２の基板との間に挟持された液晶層とを有する液晶表示パネルを備え、
前記液晶表示パネルは、複数のサブピクセルを有し、
前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、
前記対向電極と前記画素電極との間の電位差によって電界を発生させて前記液晶層の液晶を駆動する液晶表示装置であって、
前記第１の基板は、前記各サブピクセルに映像信号を入力する複数の映像線を有し、
前記液晶層は、ポジ型液晶であり、
前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、
前記間隙は、前記映像線の延在方向に沿って延在する第１の部分と、前記第１の部分から前記映像線と交差する方向に沿って延在する第２の部分とを有し、
前記液晶層の初期配向軸は、前記映像線に対して時計回りで＋５°〜＋２０°、または、−５°〜−２０°の範囲内の方向であり、
前記液晶層の前記初期配向軸から前記間隙の前記第２の部分まで時計回りに測った角度をθ１とするとき、８８°≦θ１≦９２°を満足し、
前記間隙の前記第１の部分は、前記対向電極よりも下層に形成され、前記画素電極と電気的に接続された遮光性のメタル電極と平面的に重なっていることを特徴とする液晶表示装置。
【請求項５】
前記画素電極は、前記第１の基板側において前記対向電極よりも上層に形成されていることを特徴とする請求項４に記載の液晶表示装置。
【請求項６】
前記対向電極は、前記第１の基板側において前記画素電極よりも上層に形成されていることを特徴とする請求項４に記載の液晶表示装置。
【請求項７】
第１の基板と、第２の基板と、前記第１の基板と前記第２の基板との間に挟持された液晶層とを有する液晶表示パネルを備え、
前記液晶表示パネルは、複数のサブピクセルを有し、
前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、
前記対向電極と前記画素電極との間の電位差によって電界を発生させて前記液晶層の液晶を駆動する液晶表示装置であって、
前記第１の基板は、前記各サブピクセルに映像信号を入力する複数の映像線を有し、
前記液晶層は、ポジ型液晶であり、
前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、
前記間隙は、前記映像線の延在方向に沿って延在する第１の部分と、前記第１の部分から前記映像線と交差する方向に沿って延在する第２の部分とを有し、
前記液晶層の初期配向軸は、前記映像線に対して時計回りで＋５°〜＋２０°、または、−５°〜−２０°の範囲内の方向であり、
前記液晶層の前記初期配向軸から前記間隙の前記第２の部分まで時計回りに測った角度をθ１とするとき、８８°≦θ１≦９２°を満足し、
前記第２の基板は、前記間隙の前記第１の部分と対向する領域に遮光膜を有し、
前記間隙の前記第１の部分は、前記遮光膜と平面的に重なっていることを特徴とする液晶表示装置。
【請求項８】
前記画素電極は、前記第１の基板側において前記対向電極よりも上層に形成されていることを特徴とする請求項７に記載の液晶表示装置。
【請求項９】
前記対向電極は、前記第１の基板側において前記画素電極よりも上層に形成されていることを特徴とする請求項７に記載の液晶表示装置。
【請求項１０】
第１の基板と、第２の基板と、前記第１の基板と前記第２の基板との間に挟持された液晶層とを有する液晶表示パネルを備え、
前記液晶表示パネルは、複数のサブピクセルを有し、
前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、
前記対向電極と前記画素電極との間の電位差によって電界を発生させて前記液晶層の液晶を駆動する液晶表示装置であって、
前記第１の基板は、前記各サブピクセルに映像信号を入力する複数の映像線と、前記映像線と交差する方向に沿って延在する複数の走査線とを有し、
前記液晶層は、ネガ型液晶であり、
前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、
前記間隙は、前記映像線の延在方向に沿って延在する第１の部分と、前記第１の部分から前記映像線と交差する方向に沿って延在する第２の部分とを有し、
前記液晶層の初期配向軸は、前記走査線に対して時計回りで＋５°〜＋２０°、または、−５°〜−２０°の範囲内の方向であり、
前記液晶層の前記初期配向軸に直交する方向から前記間隙の前記第２の部分まで時計回りに測った角度をΘ１とするとき、８８°≦Θ１≦９２°を満足し、
前記映像線は、遮光性の材料で形成されており、
前記間隙の前記第１の部分は、前記映像線と平面的に重なっていることを特徴とする液晶表示装置。
【請求項１１】
前記画素電極は、前記第１の基板側において前記対向電極よりも上層に形成されていることを特徴とする請求項１０に記載の液晶表示装置。
【請求項１２】
前記対向電極は、前記第１の基板側において前記画素電極よりも上層に形成されていることを特徴とする請求項１０に記載の液晶表示装置。
【請求項１３】
第１の基板と、第２の基板と、前記第１の基板と前記第２の基板との間に挟持された液晶層とを有する液晶表示パネルを備え、
前記液晶表示パネルは、複数のサブピクセルを有し、
前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、
前記対向電極と前記画素電極との間の電位差によって電界を発生させて前記液晶層の液晶を駆動する液晶表示装置であって、
前記第１の基板は、前記各サブピクセルに映像信号を入力する複数の映像線と、前記映像線と交差する方向に沿って延在する複数の走査線とを有し、
前記液晶層は、ネガ型液晶であり、
前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、
前記間隙は、前記映像線の延在方向に沿って延在する第１の部分と、前記第１の部分から前記映像線と交差する方向に沿って延在する第２の部分とを有し、
前記液晶層の初期配向軸は、前記走査線に対して時計回りで＋５°〜＋２０°、または、−５°〜−２０°の範囲内の方向であり、
前記液晶層の前記初期配向軸に直交する方向から前記間隙の前記第２の部分まで時計回りに測った角度をΘ１とするとき、８８°≦Θ１≦９２°を満足し、
前記間隙の前記第１の部分は、前記対向電極よりも下層に形成され、前記画素電極と電気的に接続された遮光性のメタル電極と平面的に重なっていることを特徴とする液晶表示装置。
【請求項１４】
前記画素電極は、前記第１の基板側において前記対向電極よりも上層に形成されていることを特徴とする請求項１３に記載の液晶表示装置。
【請求項１５】
前記対向電極は、前記第１の基板側において前記画素電極よりも上層に形成されていることを特徴とする請求項１３に記載の液晶表示装置。
【請求項１６】
第１の基板と、第２の基板と、前記第１の基板と前記第２の基板との間に挟持された液晶層とを有する液晶表示パネルを備え、
前記液晶表示パネルは、複数のサブピクセルを有し、
前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、
前記対向電極と前記画素電極との間の電位差によって電界を発生させて前記液晶層の液晶を駆動する液晶表示装置であって、
前記第１の基板は、前記各サブピクセルに映像信号を入力する複数の映像線と、前記映像線と交差する方向に沿って延在する複数の走査線とを有し、
前記液晶層は、ネガ型液晶であり、
前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、
前記間隙は、前記映像線の延在方向に沿って延在する第１の部分と、前記第１の部分から前記映像線と交差する方向に沿って延在する第２の部分とを有し、
前記液晶層の初期配向軸は、前記走査線に対して時計回りで＋５°〜＋２０°、または、−５°〜−２０°の範囲内の方向であり、
前記液晶層の前記初期配向軸に直交する方向から前記間隙の前記第２の部分まで時計回りに測った角度をΘ１とするとき、８８°≦Θ１≦９２°を満足し、
前記第２の基板は、前記間隙の前記第１の部分と対向する領域に遮光膜を有し、
前記間隙の前記第１の部分は、前記遮光膜と平面的に重なっていることを特徴とする液晶表示装置。
【請求項１７】
前記画素電極は、前記第１の基板側において前記対向電極よりも上層に形成されていることを特徴とする請求項１６に記載の液晶表示装置。
【請求項１８】
前記対向電極は、前記第１の基板側において前記画素電極よりも上層に形成されていることを特徴とする請求項１６に記載の液晶表示装置。
【発明の詳細な説明】
【技術分野】
【０００１】
本発明は、液晶表示装置に関し、特に、ＩＰＳ（In Plane Switching）方式の液晶表示装置に適用して有効な技術に関するものである。
【背景技術】
【０００２】
液晶表示装置として、ＩＰＳ方式の液晶表示装置が知られている。このＩＰＳ方式の液晶表示装置では、画素電極（ＰＸ）と対向電極（ＣＴ）とを同じ基板上に形成し、その間に電界を印加させ液晶を基板平面内で回転させることにより、明暗のコントロールを行っている。そのため、斜めから画面を見た際に表示像の濃淡が反転しないという特徴を有する。
【０００３】
なお、本願発明に関連する先行技術文献としては以下のものがある。
【特許文献１】特開２００２−２２１７２６号公報
【特許文献２】特願２００６−１９３４８５号
【発明の開示】
【発明が解決しようとする課題】
【０００４】
図１０及び図１１は、従来のＩＰＳ方式の液晶表示装置に係る図であり、図１０は、１サブピクセルの電極構造を示す平面図、図１１は、隣接する２つの対向電極間の電界によって液晶分子が動く状態を説明するための模式図である。
従来のＩＰＳ方式の液晶表示装置では、低消費電力化を図るため、図１０に示すように、対向電極（ＣＴ）を１表示ライン毎に分割し、１ライン反転で駆動している。また、隣接する２つの表示ラインを、一方の表示ラインと他方の表示ラインとする時、一方の表示ラインの対向電極（ＣＴ）と他方の表示ラインの対向電極（ＣＴ）との間の間隙（切れ目）１０は、表示ラインの方向（走査線（ＧＬ）の延在方向）に沿って一直線状に延在している。また、液晶層の液晶初期配向軸（Ｓ）は、ポジ型液晶の場合、間隙１０（走査線（ＧＬ））に対して時計回りで＋７０°〜＋８０°または−７０°〜−８０°の範囲内の方向になっている。尚、ＤＬは映像線、ａ−Ｓｉは半導体層、ＳＬＴは画素電極（ＰＸ）に形成されたスリット、ＣＨはコンタクトホール、ＣＨＫは対向電極（ＣＴ）に形成された開口部である。
【０００５】
しかしながら、１ライン反転駆動では、隣接する２つの表示ラインにおいて、一方の表示ラインの対向電極（ＣＴ）に印加される基準電圧（対向電圧又はコモン電圧）と、他方の表示ラインの対向電極（ＣＴ）に印加される基準電圧（対向電圧又はコモン電圧）との極性が互いに反転するため、図１１に示すように、黒表示時でも一方の表示ラインの対向電極（ＣＴ）と他方の表示ラインの対向電極（ＣＴ）との間で電界（ＦＩ）が発生する。このため、液晶層の液晶分子（ＬＣ１）が液晶初期配向軸（Ｓ）とは異なる方向に動いて光漏れ箇所（黒浮き箇所）を作り、結果として表示品質が劣化することが想定される。
なお、上記の光漏れ箇所は、間隙１０と平面的に重なるように遮光膜（ブラックマトリクス）を配置することによって抑制できる。しかしながら、このような方法の場合は開口率が低下してしまう。
本発明は、前記従来技術の問題点を解決するためになされたものであり、本発明の目的は、ＩＰＳ方式の液晶表示装置において、表示品質の向上を図ることが可能な技術を提供することにある。
本発明の前記並びにその他の目的と新規な特徴は、本明細書の記述及び添付図面によって明らかになるであろう。
【課題を解決するための手段】
【０００６】
本願において開示される発明のうち、代表的なものの概要を簡単に説明すれば、下記のとおりである。
（１）第１の基板と、第２の基板と、前記第１の基板と前記第２の基板との間に挟持された液晶層とを有する液晶表示パネルを備え、前記液晶表示パネルは、複数のサブピクセルを有し、前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、前記対向電極と前記画素電極との間の電位差によって電界を発生させて前記液晶層の液晶を駆動する液晶表示装置であって、
前記第１の基板は、前記各サブピクセルに映像信号を入力する複数の映像線を有し、前記液晶層は、ポジ型液晶であり、前記対向電極は、１表示ライン毎に分割されており、隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、前記間隙は、前記映像線の延在方向に沿って延在する第１の部分と、前記第１の部分から前記映像線と交差する方向に沿って延在する第２の部分とを有し、前記液晶層の初期配向軸は、前記映像線に対して時計回りで＋５°〜＋２０°、または、−５°〜−２０°の範囲内の方向であり、前記液晶層の前記初期配向軸から前記間隙の前記第２の部分まで時計回りに測った角度をθ１とするとき、８８°≦θ１≦９２°を満足し、前記映像線は、遮光性の材料で形成されており、前記間隙の前記第１の部分は、前記映像線と平面的に重なっている。
（２）（１）において、前記画素電極は、前記第１の基板側において前記対向電極よりも上層に形成されている。
（３）（１）において、前記対向電極は、前記第１の基板側において前記画素電極よりも上層に形成されている。
【０００７】
（４）第１の基板と、第２の基板と、前記第１の基板と前記第２の基板との間に挟持された液晶層とを有する液晶表示パネルを備え、前記液晶表示パネルは、複数のサブピクセルを有し、前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、前記対向電極と前記画素電極との間の電位差によって電界を発生させて前記液晶層の液晶を駆動する液晶表示装置であって、
前記第１の基板は、前記各サブピクセルに映像信号を入力する複数の映像線を有し、前記液晶層は、ポジ型液晶であり、前記対向電極は、１表示ライン毎に分割されており、隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、前記間隙は、前記映像線の延在方向に沿って延在する第１の部分と、前記第１の部分から前記映像線と交差する方向に沿って延在する第２の部分とを有し、前記液晶層の初期配向軸は、前記映像線に対して時計回りで＋５°〜＋２０°、または、−５°〜−２０°の範囲内の方向であり、前記液晶層の前記初期配向軸から前記間隙の前記第２の部分まで時計回りに測った角度をθ１とするとき、８８°≦θ１≦９２°を満足し、前記間隙の前記第１の部分は、前記対向電極よりも下層に形成され、前記画素電極と電気的に接続された遮光性のメタル電極と平面的に重なっている。
（５）（４）において、前記画素電極は、前記第１の基板側において前記対向電極よりも上層に形成されている。
（６）（４）において、前記対向電極は、前記第１の基板側において前記画素電極よりも上層に形成されている。
【０００８】
（７）第１の基板と、第２の基板と、前記第１の基板と前記第２の基板との間に挟持された液晶層とを有する液晶表示パネルを備え、前記液晶表示パネルは、複数のサブピクセルを有し、前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、前記対向電極と前記画素電極との間の電位差によって電界を発生させて前記液晶層の液晶を駆動する液晶表示装置であって、
前記第１の基板は、前記各サブピクセルに映像信号を入力する複数の映像線を有し、前記液晶層は、ポジ型液晶であり、前記対向電極は、１表示ライン毎に分割されており、隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、前記間隙は、前記映像線の延在方向に沿って延在する第１の部分と、前記第１の部分から前記映像線と交差する方向に沿って延在する第２の部分とを有し、前記液晶層の初期配向軸は、前記映像線に対して時計回りで＋５°〜＋２０°、または、−５°〜−２０°の範囲内の方向であり、前記液晶層の前記初期配向軸から前記間隙の前記第２の部分まで時計回りに測った角度をθ１とするとき、８８°≦θ１≦９２°を満足し、前記第２の基板は、前記間隙の前記第１の部分と対向する領域に遮光膜を有し、前記間隙の前記第１の部分は、前記遮光膜と平面的に重なっている。
（８）（７）において、前記画素電極は、前記第１の基板側において前記対向電極よりも上層に形成されている。
（９）（７）において、前記対向電極は、前記第１の基板側において前記画素電極よりも上層に形成されている。
【０００９】
（１０）第１の基板と、第２の基板と、前記第１の基板と前記第２の基板との間に挟持された液晶層とを有する液晶表示パネルを備え、前記液晶表示パネルは、複数のサブピクセルを有し、前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、前記対向電極と前記画素電極との間の電位差によって電界を発生させて前記液晶層の液晶を駆動する液晶表示装置であって、
前記第１の基板は、前記各サブピクセルに映像信号を入力する複数の映像線と、前記映像線と交差する方向に沿って延在する複数の走査線とを有し、前記液晶層は、ネガ型液晶であり、前記対向電極は、１表示ライン毎に分割されており、隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、前記間隙は、前記映像線の延在方向に沿って延在する第１の部分と、前記第１の部分から前記映像線と交差する方向に沿って延在する第２の部分とを有し、前記液晶層の初期配向軸は、前記走査線に対して時計回りで＋５°〜＋２０°、または、−５°〜−２０°の範囲内の方向であり、前記液晶層の前記初期配向軸に直交する方向から前記間隙の前記第２の部分まで時計回りに測った角度をΘ１とするとき、８８°≦Θ１≦９２°を満足し、前記映像線は、遮光性の材料で形成されており、前記間隙の前記第１の部分は、前記映像線と平面的に重なっている。
（１１）（１０）において、前記画素電極は、前記第１の基板側において前記対向電極よりも上層に形成されている。
（１２）（１０）において、前記対向電極は、前記第１の基板側において前記画素電極よりも上層に形成されている。
【００１０】
（１３）第１の基板と、第２の基板と、前記第１の基板と前記第２の基板との間に挟持された液晶層とを有する液晶表示パネルを備え、前記液晶表示パネルは、複数のサブピクセルを有し、前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、前記対向電極と前記画素電極との間の電位差によって電界を発生させて前記液晶層の液晶を駆動する液晶表示装置であって、
前記第１の基板は、前記各サブピクセルに映像信号を入力する複数の映像線と、前記映像線と交差する方向に沿って延在する複数の走査線とを有し、前記液晶層は、ネガ型液晶であり、前記対向電極は、１表示ライン毎に分割されており、
隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、前記間隙は、前記映像線の延在方向に沿って延在する第１の部分と、前記第１の部分から前記映像線と交差する方向に沿って延在する第２の部分とを有し、前記液晶層の初期配向軸は、前記走査線に対して時計回りで＋５°〜＋２０°、または、−５°〜−２０°の範囲内の方向であり、前記液晶層の前記初期配向軸に直交する方向から前記間隙の前記第２の部分まで時計回りに測った角度をΘ１とするとき、８８°≦Θ１≦９２°を満足し、前記間隙の前記第１の部分は、前記対向電極よりも下層に形成され、前記画素電極と電気的に接続された遮光性のメタル電極と平面的に重なっている。
（１４）（１３）において、前記画素電極は、前記第１の基板側において前記対向電極よりも上層に形成されている。
（１５）（１３）において、前記対向電極は、前記第１の基板側において前記画素電極よりも上層に形成されている。
【００１１】
（１６）第１の基板と、第２の基板と、前記第１の基板と前記第２の基板との間に挟持された液晶層とを有する液晶表示パネルを備え、前記液晶表示パネルは、複数のサブピクセルを有し、前記複数のサブピクセルの各サブピクセルは、前記第１の基板上に形成された対向電極と、前記第１の基板上に形成された画素電極と、前記対向電極と前記画素電極との間に形成された絶縁膜とを有し、前記画素電極は前記絶縁膜を介して前記対向電極と重畳しており、前記対向電極と前記画素電極との間の電位差によって電界を発生させて前記液晶層の液晶を駆動する液晶表示装置であって、
前記第１の基板は、前記各サブピクセルに映像信号を入力する複数の映像線と、前記映像線と交差する方向に沿って延在する複数の走査線とを有し、前記液晶層は、ネガ型液晶であり、前記対向電極は、１表示ライン毎に分割されており、隣接する２つの表示ラインを、一方の表示ラインと他方の表示ラインとするとき、前記一方の表示ラインの前記対向電極と前記他方の表示ラインの前記対向電極との間の間隙は、局所的に屈曲しながら全体として前記表示ラインの方向に延在し、前記間隙は、前記映像線の延在方向に沿って延在する第１の部分と、前記第１の部分から前記映像線と交差する方向に沿って延在する第２の部分とを有し、前記液晶層の初期配向軸は、前記走査線に対して時計回りで＋５°〜＋２０°、または、−５°〜−２０°の範囲内の方向であり、前記液晶層の前記初期配向軸に直交する方向から前記間隙の前記第２の部分まで時計回りに測った角度をΘ１とするとき、８８°≦Θ１≦９２°を満足し、前記第２の基板は、前記間隙の前記第１の部分と対向する領域に遮光膜を有し、前記間隙の前記第１の部分は、前記遮光膜と平面的に重なっている。
（１７）（１６）において、前記画素電極は、前記第１の基板側において前記対向電極よりも上層に形成されている。
（１８）（１６）において、前記対向電極は、前記第１の基板側において前記画素電極よりも上層に形成されている。
【発明の効果】
【００１２】
本願において開示される発明のうち代表的なものによって得られる効果を簡単に説明すれば、下記のとおりである。
本願発明の液晶表示装置によれば、表示品質の向上を図ることが可能となる。
【発明を実施するための最良の形態】
【００１３】
以下、図面を参照して本発明の実施例を詳細に説明する。なお、発明の実施例を説明するための全図において、同一機能を有するものは同一符号を付け、その繰り返しの説明は省略する。
［実施例１］
本実施例１では、ＩＰＳ方式の液晶表示装置として、全透過型液晶表示装置に本発明を適用した例について説明する。
図１乃至図５は、本発明の実施例１であるＩＰＳ方式の液晶表示装置に係る図であり、
図１は、対向電極が１表示ライン毎に分割された状態を示す平面図、
図２は、図１の対向電極を透視した状態で各サブピクセルの電極構造を示す平面図、
図３は、図２の一部を拡大した平面図であって、ポジ型液晶を用いた時の液晶初期配向軸と対向電極間の間隙の延在方向との関係を示す図、
図４は、隣接する２つの対向電極間の電界によって液晶分子が動く状態を説明するための模式図、
図５は、図３のＡ−Ａ’に沿った断面構造を示す断面図、
図６は、図２の一部を拡大した平面図であって、ネガ型液晶を用いた時の液晶初期配向軸と対向電極間の間隙の延在方向との関係を示す図である。
【００１４】
本実施例のＩＰＳ方式の液晶表示装置は、全透過型であり、図５に示す液晶表示パネル２０を備えている。液晶表示パネル２０は、図５に示すように、第１基板（ＳＵＢ１）と第２基板（ＳＵＢ２）との間に、多数の液晶分子（ＬＣ１）からなる液晶層（ＬＣ）を挟持した構成になっており、第２基板（ＳＵＢ２）の主面側が観察側となっている。即ち、液晶表示パネル２０は、第１基板（ＳＵＢ１）と、この第１基板（ＳＵＢ１）に対向して配置された第２基板（ＳＵＢ２）と、第１基板（ＳＵＢ１）と第２基板（ＳＵＢ２）との間に挟持された液晶層（ＬＣ）とを有する構成になっている。第１基板及び第２基板（ＳＵＢ１，ＳＵＢ２）としては、例えばガラス等の透明な絶縁性基板が用いられている。液晶層（ＬＣ）としては、例えば、ポジ型液晶、或いはネガ型液晶が用いられている。
また、液晶表示パネル２０は、図１に示すサブピクセル２１がマトリクス状に複数配置された表示部を有し、複数のサブピクセル２１の各々は、対向電極（ＣＴ）と画素電極（ＰＸ）とを有している（図１及び図２参照）。
また、液晶表示パネル２０は、平面的に見たとき、図３に示すように、Ｘ方向に沿って延在する走査線（ゲート線とも言う）（ＧＬ）と、Ｘ方向と直交（あるいは交差）するＹ方向に沿って延在する映像線（ドレイン線とも言う）（ＤＬ）とを有している。走査線（ＧＬ）は、Ｙ方向に所定の間隔を置いて複数本配置され、映像線（ＤＬ）は、Ｘ方向に所定の間隔を置いて複数本配置されている。複数本の走査線（ＧＬ）は複数本の映像線（ＤＬ）と絶縁膜を介して交差しており、これらの走査線（ＧＬ）と映像線（ＤＬ）とが交差する各交点近傍には、サブピクセル２１のスイッチング素子として使用される薄膜トランジスタ（ＴＦＴ：Thin Film Transistor）が設けられている。
なお、複数のサブピクセル２１の各々は、Ｘ方向及びＹ方向においてマトリクス状に配置されており、Ｘ方向に沿って一列で配置された複数のサブピクセル２１で１表示ラインが構成され、この１表示ラインはＹ方向に複数設けられている。
【００１５】
図５に示すように、第１基板（ＳＵＢ１）の液晶面側には、第１基板（ＳＵＢ１）側から液晶層（ＬＣ）に向かって順に、走査線（ＧＬ）、ゲート絶縁膜（ＧＩ）、半導体層（ａ−Ｓｉ）、映像線（ＤＬ）、ソース電極として機能する導電層（ＳＤ）、層間絶縁膜（ＰＡＳ１）、層間絶縁膜（ＰＡＳ２）、対向電極（ＣＴ；共通電極とも言う）、層間絶縁膜（ＰＡＳ３）、画素電極（ＰＸ）、第１配向膜（ＡＬ１）が形成されている。
なお、第１基板（ＳＵＢ１）の外側（液晶面側とは反対側）には、第１偏光膜（ＰＯＬ１）が配置されている。また、走査線（ＧＬ）の一部（ゲート電極）、ゲート絶縁膜（ＧＩ）、半導体層（ａ−Ｓｉ）、映像線（ＤＬ）の一部（ドレイン電極）、及び導電層（ＳＤ；ソース電極）で薄膜トランジスタ（ＴＦＴ）が構成されている。
図５に示すように、第２基板（ＳＵＢ２）の液晶面側には、第２基板（ＳＵＢ２）から液晶層（ＬＣ）に向かって順に、赤・緑・青のカラーフィルタ（ＦＩＲ）、平坦化膜（ＯＣ）、第２配向膜（ＡＬ２）が形成されている。
なお、第２基板（ＳＵＢ２）の外側には、第２偏光膜（ＰＯＬ２）が配置されている。
【００１６】
図５に示すように、画素電極（ＰＸ）は、第１基板（ＳＵＢ１）側において対向電極（ＣＴ）よりも上層に形成されている。画素電極（ＰＸ）と対向電極（ＣＴ）は、層間絶縁膜（ＰＡＳ３）を介して重畳されており、これによって保持容量を形成している。画素電極（ＰＸ）及び対向電極（ＣＴ）は、例えばＩＴＯ（Indium Tin Oxide）等の透明導電膜で形成されている。
図３に示すように、画素電極（ＰＸ）は、Ｙ方向に沿って延在するスリット（ＳＬＴ）がＸ方向に所定の間隔を置いて複数配置された構造になっており、スリット（ＳＬＴ）で分割された部分が画素電極（ＰＸ）の線状部分となる。本実施例ではスリット（ＳＬＴ）の両端が閉じた構造になっているが、スリット（ＳＬＴ）の一端が開放された構造であってもよい。
図１に示すように、対向電極（ＣＴ）は、平面状に形成されている。また、対向電極（ＣＴ）は、１表示ライン毎に分割されている。また、対向電極（ＣＴ）は、表示ラインと同様にＸ方向に沿って延在し、１表示ラインで共通になっている。また、互いに隣接する２つの表示ラインにおいて、一方の表示ラインの対向電極（ＣＴ）と他方の表示ラインの対向電極（ＣＴ）との間には、間隙（切れ目）１０が設けられている。
間隙１０は、図３に示すように、映像線（ＤＬ）の延在方向に沿って延在する第１の部分１０ａと、この第１の部分１０ａから映像線（ＤＬ）と交差する方向に沿って延在する第２の部分１０ｂとを有し、図１及び図２に示すように、局所的に屈曲しながら全体として表示ラインの方向に延在している。
なお、図３及び図５において、ＣＨは、ソース電極として機能する導電層（ＳＤ）と画素電極（ＰＸ）とを電気的に接続するためのコンタクトホールであり、ＣＨＫは、画素電極（ＰＸ）と対向電極（ＣＴ）とを電気的に分離するために、対向電極（ＣＴ）に形成された開口部である。
また、映像線（ＤＬ）、走査線（ＧＬ）、並びに導電層（ＳＤ）は、例えばアルミニウム（Ａｌ）等の金属からなる導電膜で形成されている。
【００１７】
ところで、従来のＩＰＳ方式の液晶表示装置では、低消費電力化を図るため、図１０に示すように、対向電極（ＣＴ）を１表示ライン毎に分割し、１ライン反転で駆動している。また、隣接する２つの表示ラインを、一方の表示ラインと他方の表示ラインとする時、一方の表示ラインの対向電極（ＣＴ）と他方の表示ラインの対向電極（ＣＴ）との間の間隙（切れ目）１０は、表示ラインの方向（走査線（ＧＬ）の延在方向）に沿って一直線状に延在しており、液晶層の液晶初期配向軸（Ｓ）は、ポジ型液晶の場合、間隙１０（走査線（ＧＬ））に対して時計回りで＋７０°〜＋８０°または−７０°〜−８０°の範囲内の方向になっている。
しかしながら、１ライン反転駆動では、隣接する２つの表示ラインにおいて、一方の表示ラインの対向電極（ＣＴ）に印加される基準電圧（対向電圧又はコモン電圧）と、他方の表示ラインの対向電極（ＣＴ）に印加される基準電圧（対向電圧又はコモン電圧）とが互いに異なる電位となる（具体的には、両者の極性が互いに反転する）ため、図１１に示すように、黒表示時でも一方の表示ラインの対向電極（ＣＴ）と他方の表示ラインの対向電極（ＣＴ）との間で電界（ＦＩ）が発生する。このため、液晶層の液晶分子（ＬＣ１）が液晶初期配向軸（Ｓ）とは異なる方向に動いて光漏れ箇所（黒浮き箇所）を作り、結果として表示品質が劣化することが想定される。尚、ここでいう極性の反転とは、対向電極（ＣＴ）の電位が画素電極（ＰＸ）よりも高い電位か低い電位かが入れ替わることを意味するものであり、０Ｖよりも大きいか小さいかは問わない。
【００１８】
そこで、液晶層（ＬＣ）の液晶初期配向軸（Ｓ）及び間隙１０の延在方向を工夫することで、一方の表示ラインの対向電極（ＣＴ）と他方の表示ラインの対向電極（ＣＴ）との間で電界（ＦＩ）が発生しても、液晶層（ＬＣ）の液晶分子（ＬＣ１）が駆動しないようにする。具体的には、液晶の種類によって手法が異なる。
液晶層（ＬＣ）がポジ型の場合は、図３に示すように、隣接する２つの表示ラインの各々の対向電極（ＣＴ）間の間隙１０を、映像線（ＤＬ）の延在方向に沿って延在する第１の部分１０ａと、この第１の部分１０ａから映像線（ＤＬ）と交差する方向に沿って延在する第２の部分１０ｂとで局所的に屈曲しながら全体として表示ラインの方向に延在するように形成し、液晶層（ＬＣ）の初期配向軸（Ｓ）を、映像線（ＤＬ）（Ｙ方向）に対して時計回りで＋５°〜＋２０°、または、−５°〜−２０°（±θ）の範囲内の方向とし、液晶層（ＬＣ）の初期配向軸（Ｓ）から間隙１０の第２の部分１０ｂ（Ｒ）まで時計回りに測った角度をθ１とするとき、８８°≦θ１≦９２°を満足するようにする。このことは、図４に示すように、間隙１０の第２の部分１０ｂで発生する電界（ＦＩ）の向きと液晶層（ＬＣ）の液晶初期配向軸（Ｓ）とがほぼ一致していることを意味し、第２の部分１０ｂでは、隣接する２つの対向電極（ＣＴ）間に発生する電界（ＦＩ）により液晶層（ＬＣ）の液晶分子（ＬＣ１）が液晶初期配向軸（Ｓ）とは異なる方向に動く（液晶初期配向軸（Ｓ）から回転する）ことを抑制できる。但し、間隙１０の第１の部分１０ａでは、隣接する２つの対向電極（ＣＴ）間に発生する電界（ＦＩ）により液晶層（ＬＣ）の液晶分子（ＬＣ１）が液晶初期配向軸（Ｓ）とは異なる方向に動いてしまう。そこで、間隙１０の第１の部分１０ａを映像線（ＤＬ）と平面的に重なるようにする。そして、映像線（ＤＬ）を遮光性の材料で形成することで、遮光する。
このような構成にすることにより、隣接する２つの対向電極（ＣＴ）間で発生する電界（ＦＩ）によって液晶層（ＬＣ）の液晶分子（ＬＣ１）が液晶初期配向軸（Ｓ）とは異なる方向に動いてしまう部分の面積を最小化（開口率を最大限向上）させつつ、黒表示時の光漏れを抑えることができる。従って、ＩＰＳ方式の液晶表示装置において、開口率を最大限向上させつつ、表示品質の向上を図ることができる。
【００１９】
液晶層（ＬＣ）がネガ型液晶の場合は、ポジ型液晶とは異なり、液晶分子（ＬＣ１）は電界（ＦＩ）に直交する方向に向こうとするため、液晶初期配向軸（Ｓ）をポジ型液晶の場合に比べて９０°変更すればよい。すなわち、図６に示すように、隣接する２つの表示ラインの各々の対向電極（ＣＴ）間の間隙１０を、映像線（ＤＬ）の延在方向に沿って延在する第１の部分１０ａと、この第１の部分１０ａから映像線（ＤＬ）と交差する方向に沿って延在する第２の部分１０ｂとで局所的に屈曲しながら全体として表示ラインの方向に延在するように形成し、液晶層（ＬＣ）の初期配向軸を、走査線（ＧＬ）に対して時計回りで＋５°〜＋２０°、または、−５°〜−２０°（±Θ）の範囲内の方向とし、液晶層（ＬＣ）の初期配向軸（Ｓ）に直交する方向（Ｍ）から間隙１０の第２の部分１０ｂ（Ｒ）まで時計回りに測った角度をΘ１とするとき、８８°≦Θ１≦９２°を満足するようにする。
この場合においても、第２の部分１０ｂでは、隣接する２つの対向電極（ＣＴ）間に発生する電界（ＦＩ）により液晶層（ＬＣ）の液晶分子（ＬＣ１）が液晶初期配向軸（Ｓ）とは異なる方向に動く（液晶初期配向軸（Ｓ）から回転する）ことを抑制できる。但し、間隙１０の第１の部分１０ａでは、隣接する２つの対向電極（ＣＴ）間に発生する電界（ＦＩ）により液晶層（ＬＣ）の液晶分子（ＬＣ１）が液晶初期配向軸（Ｓ）とは異なる方向に動いてしまう。そこで、間隙１０の第１の部分１０ａを映像線（ＤＬ）と平面的に重なるようにする。そして、映像線（ＤＬ）を遮光性の材料で形成することで、遮光する。
このような構成にすることにより、ネガ型液晶の場合においても、隣接する２つの対向電極（ＣＴ）間で発生する電界（ＦＩ）によって液晶層（ＬＣ）の液晶分子（ＬＣ１）が液晶初期配向軸（Ｓ）とは異なる方向に動いてしまう部分の面積を最小化（開口率を最大限向上）させつつ、黒表示時の光漏れを抑えることができる。従って、ＩＰＳ方式の液晶表示装置において、開口率を最大限向上させつつ、表示品質の向上を図ることができる。
なお、前述の特許文献１及び２には、本実施例のように、隣接する２つの表示ラインの各々の対向電極（ＣＴ）間の間隙１０を、映像線（ＤＬ）の延在方向に沿って延在する第１の部分１０ａと、この第１の部分１０ａから映像線（ＤＬ）と交差する方向に沿って延在する第２の部分１０ｂとで局所的に屈曲しながら全体として表示ラインの方向に延在するように形成し、開口率を最大限向上させつつ、表示品質の向上を図ることは記載されていない。
【００２０】
［実施例２］
図７は、本発明の実施例２であるＩＰＳ方式の液晶表示装置において、１サブピクセルの電極構造を示す平面図である。
本実施例２のＩＰＳ方式の液晶表示装置は、基本的に前述の実施例１と同様の構成になっており、以下の構成が異なっている。
即ち、前述の実施例１では、隣接する２つの対向電極（ＣＴ）間に発生する電界（ＦＩ）により、間隙１０の第１の部分１０ａにおいて液晶分子（ＬＣ１）が液晶初期配向軸（Ｓ）とは異なる方向に動くことに起因する光漏れ箇所の対策として、間隙１０の第１の部分１０ａを映像線（ＤＬ）と平面的に重なるようにしている。
これに対し、本実施例２では、図７に示すように、間隙１０の第１の部分１０ａは、対向電極（ＣＴ）よりも下層に形成され、画素電極（ＰＸ）と電気的に接続された導電層（ＳＤ）と平面的に重なるように配置されている。そして、導電層（ＳＤ）を遮光性の材料で形成することにより、遮光する。
このように構成された本実施例２においても、前述の実施例１と同様に、ＩＰＳ方式の液晶表示装置において、開口率を最大限向上させつつ、表示品質の向上を図ることができる。
尚、間隙１０の第１の部分１０ａは、一部が導電層（ＳＤ）からはみ出す部分が存在する場合もあるが、その場合は、走査線（ＧＬ）や別途設けた遮光膜などにより遮光すればよい。そのような場合でも、遮光膜を設ける面積は本発明を適用しない場合に比べて小さくできるので、開口率を最大限向上させる効果を得られる。
また、図７で示した例の場合、コンタクトホール（ＣＨ）は間隙１０に重なっているので、対向電極（ＣＴ）に設ける開口部（ＣＨＫ）は省略可能である。
なお、図７ではポジ型液晶を用いた場合を示しているが、本実施例２はネガ型液晶を用いた場合においても同様の効果が得られる。この場合は、基本的な構成は図６と同様にしたまま、間隙１０の第１の部分１０ａの位置を図７のような位置に変更すればよい。
【００２１】
［実施例３］
図８は、本発明の実施例３であるＩＰＳ方式の液晶表示装置において、１サブピクセルの電極構造を示す平面図である。
本実施例３のＩＰＳ方式の液晶表示装置は、基本的に前述の実施例１と同様の構成になっており、以下の構成が異なっている。
即ち、隣接する２つの対向電極（ＣＴ）間に発生する電界（ＦＩ）により、間隙１０の第１の部分１０ａにおいて液晶分子（ＬＣ１）が液晶初期配向軸（Ｓ）とは異なる方向に動くことに起因する光漏れ箇所の対策として、本実施例３では、図８に示すように、間隙１０の第１の部分１０ａは、遮光膜（ＢＭ；ブラックマトリクス）と平面的に重なるように配置されている。遮光膜（ＢＭ）は、第２基板（ＳＵＢ２）の液晶層側に設けられている。
このように構成された本実施例３においても、前述の実施例１と同様に、ＩＰＳ方式の液晶表示装置において、開口率を最大限向上させつつ、表示品質の向上を図ることができる。
なお、図８では、間隙１０の第１の部分１０ａが映像線（ＤＬ）及び遮光膜（ＢＭ）と平面的に重なるように配置されているが、間隙１０の第１の部分１０ａは映像線（ＤＬ）以外の部分において遮光膜（ＢＭ）と重なるように配置してもよい。要するに、間隙１０の第１の部分１０ａにおける光漏れ箇所の対策を間隙１０の第１の部分１０ａと遮光膜（ＢＭ）とを平面的に重ねることによって行う。
また、図８ではポジ型液晶を用いた場合を示しているが、本実施例３はネガ型液晶を用いた場合においても同様の効果が得られる。
【００２２】
［実施例４］
図９は、本発明の実施例４であるＩＰＳ方式の液晶表示装置において、１サブピクセルの電極構造を示す平面図である。
本実施例４のＩＰＳ方式の液晶表示装置は、基本的に前述の実施例１と同様の構成になっており、以下の構成が異なっている。
即ち、前述の実施例１では、第１基板（ＳＵＢ１）側において、対向電極（ＣＴ）よりも上層に画素電極（ＰＸ）が配置されている。
これに対し、本実施例４では、図９に示すように、第１基板（ＳＵＢ１）側において、画素電極（ＰＸ）よりも上層に対向電極（ＣＴ）が配置されている。そして、スリット（ＳＬＴ）は、画素電極（ＰＸ）ではなく、対向電極（ＣＴ）の方に設けられる。また、画素電極（ＰＸ）は絶縁膜を介して対向電極（ＣＴ）よりも下層に設けられているので、対向電極（ＣＴ）に設けられる開口部（ＣＨＫ）は不要である。
このように構成された本実施例４においても、前述の実施例１と同様に、ＩＰＳ方式の液晶表示装置において、開口率を最大限向上させつつ、表示品質の向上を図ることができる。
なお、図９ではポジ型液晶を用いた場合を示しているが、本実施例４はネガ型液晶を用いた場合においても同様の効果が得られる。
また、前述の実施例２及び３に本実施例４を組み合わせてもよい。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２３】
【図１】本発明の実施例１であるＩＰＳ方式の液晶表示装置において、対向電極が１表示ライン毎に分割された状態を示す平面図である。
【図２】図１の対向電極を透視した状態で各サブピクセルの電極構造を示す平面図である。
【図３】図２の一部を拡大した平面図であって、ポジ型液晶を用いた時の液晶初期配向軸と対向電極間の間隙の延在方向との関係を示す図である。
【図４】本発明の実施例１であるＩＰＳ方式の液晶表示装置において、隣接する２つの対向電極間の電界によって液晶分子が動く状態を説明するための模式図である。
【図５】図３のＡ−Ａ’に沿った断面構造を示す断面図である。
【図６】図２の一部を拡大した平面図であって、ネガ型液晶を用いた時の液晶初期配向軸と対向電極間の間隙の延在方向との関係を示す図である。
【図７】本発明の実施例２であるＩＰＳ方式の液晶表示装置において、１サブピクセルの電極構造を示す平面図である。
【図８】本発明の実施例３であるＩＰＳ方式の液晶表示装置において、１サブピクセルの電極構造を示す平面図である。
【図９】本発明の実施例４であるＩＰＳ方式の液晶表示装置において、１サブピクセルの電極構造を示す平面図である。
【図１０】従来のＩＰＳ方式の液晶表示装置において、１サブピクセルの電極構造を示す平面図である。
【図１１】従来のＩＰＳ方式の液晶表示装置において、隣接する２つの対向電極間の電界によって液晶分子が動く状態を説明するための模式図である。
【符号の説明】
【００２４】
１０  間隙（切れ目）
１０ａ  第１の部分
１０ｂ  第２の部分
２０  表示パネル
２１  サブピクセル
ＡＬ１，ＡＬ２  配向膜
ａ−Ｓｉ  半導体層
ＣＨ  コンタクトホール
ＣＨＫ  開口部
ＣＴ  対向電極
ＤＬ  映像線
ＧＩ  ゲート絶縁膜
ＧＬ  走査線
ＯＣ  平坦化膜
ＰＡＳ１，ＰＡＳ２，ＰＡＳ３  層間絶縁膜
ＰＯＬ１，ＰＯＬ２  偏光膜
ＰＸ  画素電極
ＳＤ  導電層
ＳＬＴ  スリット
ＳＵＢ１，ＳＵＢ２  基板
【図１】
2009169353.tif 000003
【図２】
2009169353.tif 000004
【図３】
2009169353.tif 000005
【図４】
2009169353.tif 000006
【図５】
2009169353.tif 000007
【図６】
2009169353.tif 000008
【図７】
2009169353.tif 000009
【図８】
2009169353.tif 000010
【図９】
2009169353.tif 000011
【図１０】
2009169353.tif 000012
【図１１】
2009169353.tif 000013